(57)【要約】【課題】壁パネルをジョイナーに強固に取り付けることができ、止水性が低下することを防止できる浴室壁パネルの接続構造を提供する。【解決手段】直角となるよう並べて配置された壁パネル１，２を連結するためのジョイナー３を備える。各壁パネル１，２のコーナー側の側縁から背方に向けて突設された係止部７がジョイナー３の両側に設けられた被係止部１３，１４に夫々係止される。前記両壁パネル１，２の対向する側縁部の間に目地材４が打ち込まれると共に、該目地材４に設けられた連結部２０がジョイナー３に設けられた被連結部１０に連結され、該目地材４とジョイナー３で各壁パネル１，２の側縁部が挟持される。【選択図】        図１
2010174454.tif 000002
【特許請求の範囲】
【請求項１】
直角となるよう並べて配置された壁パネルを連結するためのジョイナーを備え、各壁パネルのコーナー側の側縁から背方に向けて突設された係止部がジョイナーの両側に設けられた被係止部に夫々係止され、前記両壁パネルの対向する側縁部の間に目地材が打ち込まれると共に、該目地材に設けられた連結部がジョイナーに設けられた被連結部に連結され、該目地材とジョイナーで各壁パネルの側縁部が挟持されることを特徴とする浴室壁パネルの接続構造。
【請求項２】
前記各被係止部が浴室側に開口して開口方向が互いに直交する被係止溝で構成され、各係止部が対応する被係止溝に浴室側から挿入係止され、各壁パネルの側縁部が前記ジョイナーに取り付けられた目地材によって室外側に押圧されて目地材とジョイナーに挟持されることを特徴とする請求項１に記載の浴室壁パネルの接続構造。
【請求項３】
前記ジョイナーの両側に水平断面で浴室側に開口するコ字状をしてその内側に前記被係止溝が形成されたコ字状片部が形成されると共に、両コ字状片部が被連結部を構成する接続片部で接続され、両コ字状片部と接続片部でジョイナーが構成され、目地材に室外側に向けて突出する連結部が設けられ、接続片部に貫通形成された被嵌込孔に前記目地材の連結部が嵌め込まれると共に、該連結部に設けられた抜止部が接続片部の室外側の面に係止されて連結部の抜け止めがなされ、前記目地材が一方のコ字状片部の室外側の端部よりも浴室側で且つ他方のコ字状片部の室外側の端部よりも浴室側に配置されることを特徴とする請求項２に記載の浴室壁パネルの接続構造。
【発明の詳細な説明】
【技術分野】
【０００１】
本発明はコーナーにおける浴室壁パネルの接続構造に関する。
【背景技術】
【０００２】
従来の浴室のコーナーにおける壁パネルの接続構造を図３（ａ）、図３（ｂ）、及び図４に示す。
【０００３】
図３（ａ）では、ジョイナー３０の固定片３１に一方の壁パネル１の側縁から背方に向けて突設された縁片７ａを重ねてねじで固定し、固定片３１から垂直に突出した係止片３３に他方の壁パネル２の側縁から背方に向けて突設された縁片７ａを沿わせ、縁片７ａと壁パネル１の間に目地材３４を打ち込んでいる。
【０００４】
図３（ｂ）では、ジョイナー３５のフック片３６に一方の壁パネル１の縁片６ａを係止し、フック片３６から垂直に突出した係止片３７に他方の壁パネル２の縁片７ａを沿わせ、縁片７ａと一方の壁パネル１の間に目地材３４を打ち込んでいる。
【０００５】
図４では、各壁パネル３８，３９の側縁から背方に向けて突設された係止部４０，４１をジョイナー４２の両側に設けられた被係止部４３，４４に夫々係止し、両壁パネル３８，３９の側縁部の間に目地材４５を打ち込み、目地材４５とジョイナー４２で各壁パネル３８，３９の側縁部を挟持している。
【０００６】
図３（ａ）及び図３（ｂ）の例では、一方の壁パネル１が傷付いて交換等するにあたって、先に他方の壁パネル２を取り外す必要があり、手間を要する。これに対して、図４の例では、いずれの係止部４０、４１も他方の係止部を外すことなく単独で係止を解除することができ、いずれの壁パネル３８，３９も単独でジョイナー４２から取り外すことができ、この点においては有利である。
【先行技術文献】
【特許文献】
【０００７】
【特許文献１】特開２００８−２６７０８５号公報
【発明の概要】
【発明が解決しようとする課題】
【０００８】
しかし、上記いずれの例においても、目地材３４，４５が両壁パネル１，２又は３８，３９の間に圧入されているだけであるため、壁パネル１，２，３８，３９に外力が加わる等した場合に目地材３４，４５が動きやすい。このため、目地材３４，４５が動いてジョイナー３０，３５，４２に対する係止が外れたり、目地材３４，４５による止水性を低下させたりする恐れがある。
【０００９】
本発明は上記従来の問題点に鑑みてなされたものであって、壁パネルをジョイナーに強固に取り付けることができ、止水性が低下することを防止できる浴室壁パネルの接続構造を提供することを課題とする。
【課題を解決するための手段】
【００１０】
本発明の浴室壁パネルは以下の構成を有している。直角となるよう並べて配置された壁パネル１，２を連結するためのジョイナー３を備える。各壁パネル１，２のコーナー側の側縁から背方に向けて突設された係止部７がジョイナー３の両側に設けられた被係止部１３，１４に夫々係止される。前記両壁パネル１，２の対向する側縁部の間に目地材４が打ち込まれると共に、該目地材４に設けられた連結部２０がジョイナー３に設けられた被連結部１０に連結され、該目地材４とジョイナー３で各壁パネル１，２の側縁部が挟持される。
【００１１】
また、前記各被係止部１３，１４が浴室側に開口して開口方向が互いに直交する被係止溝１３ａ，１４ａで構成され、各係止部６，７が対応する被係止溝１３ａ，１４ａに浴室側から挿入係止される。各壁パネル１，２の側縁部が前記ジョイナー３に取り付けられた目地材４によって室外側に押圧されて目地材４とジョイナー３に挟持される。
【００１２】
前記ジョイナー３の両側に水平断面で浴室側に開口するコ字状をしてその内側に前記被係止溝１３ａ，１４ａが形成されたコ字状片部８，９が形成されると共に、両コ字状片部８，９が被連結部１０を構成する接続片部１０ａで接続され、両コ字状片部８，９と接続片部１０ａでジョイナー３が構成される。目地材４に室外側に向けて突出する連結部２０が設けられ、接続片部１０ａに貫通形成された被嵌込孔１７に前記目地材４の連結部２０が嵌め込まれると共に、該連結部２０に設けられた抜止部２４が接続片部１０ａの室外側の面に係止されて連結部２０の抜け止めがなされる。前記目地材４が一方のコ字状片部８の室外側の端部よりも浴室側で且つ他方のコ字状片部９の室外側の端部よりも浴室側に配置される。
【発明の効果】
【００１３】
本発明では、目地材に設けられた連結部がジョイナーに設けられた被連結部に連結され、該目地材とジョイナーで各壁パネルの側縁部が挟持されるため、壁パネルに外力が加わる等した場合に目地材が動き難い。このため、ジョイナーに連結された目地材とジョイナーで壁パネルの側縁部を挟持することができて、各壁パネルのジョイナーに対する係止が外れることを防止でき、壁パネルをジョイナーに強固に取り付けることができる。また、外力が加わることで目地材が動いて止水性が低下することも防止できる。
【００１４】
また、前記各被係止部が浴室側に開口して開口方向が互いに直交する被係止溝で構成されるので、各係止部を対応する被係止溝に浴室側から挿入係止することができて、壁パネルの施工を浴室の内側から行ういわゆる内組方式を採用することができる。また、各壁パネルの側縁部がジョイナーに取り付けられた目地材によって係止部の係止解除方向とは逆方向となる室外側に押圧されるので、係止部と被係止部の係止が外れることをより確実に防止できる。
【００１５】
また、接続片部に貫通形成された被嵌込孔に目地材の連結部が嵌め込まれ、且つ、連結部に設けられた抜止部が接続片部の室外側の面に係止されて連結部の抜け止めがなされるため、目地材をジョイナーに強固に連結することができる。しかも、この目地材は両コ字状片部の室外側の端部よりも浴室側に配置されるので、ジョイナーの室外側に近接して建物躯体が配置される場合にも本発明の接続構造を適用できる。
【図面の簡単な説明】
【００１６】
【図１】本発明の実施形態の一例の壁パネルの接続構造を示し、連結部が被嵌込孔に差し込まれた部分における水平断面図である。
【図２】同上のジョイナー及び目地材の斜視図である。
【図３】（ａ）は従来の壁パネルの接続構造の一例を示す水平断面図であり、（ｂ）はは従来の壁パネルの接続構造の他例を示す水平断面図である。
【図４】従来のさらに他例の壁パネルの接続構造を示す水平断面図である。
【発明を実施するための形態】
【００１７】
以下、本発明の実施形態の一例を添付図面に基づいて説明する。
【００１８】
図１に示す本例の浴室壁パネルの接続構造は、浴室のコーナーにおいて直角となるよう並べて配置された壁パネル１，２をジョイナー３を介して連結すると共に、両壁パネル１，２の側縁部の間に弾性変形可能な乾式の目地材４を打ち込んだものである。
【００１９】
各壁パネル１，２は、表面板５と、表面板５の室外側となる後面に設けられた断熱材１８で構成されている。表面板５は例えば金属板からなり、断熱材１８は例えば発泡ポリスチレンからなる。
【００２０】
各壁パネル１，２のコーナー側の側縁部には室外側となる背方に向けて係止部６，７が突設されている。各係止部６，７は表面板５の側縁を直角に折曲することで形成された縁片６ａ，７ａで構成されている。縁片６ａ，７ａの後端は自由端となっており、係止部６，７は表面板５の側縁を一度曲げ加工するだけで容易に形成することができる。
【００２１】
ジョイナー３は合成樹脂製で図２に示すように柱状に形成されており、両側に配置された水平断面コ字状のコ字状片部８，９と、両コ字状片部８，９の間に位置して両コ字状片部８，９を一体に接続する接続片部１０ａとで構成され、左右対称形状である。
【００２２】
各コ字状片部８，９の両側片部１１ａ，１１ｂのうち接続片部９と反対側となる外側の側片部１１ａ，１１ａはジョイナー３の両側端部に位置し、両側片部１１ａ，１１ａの前端部の間には開口部１２が形成されている。
【００２３】
各コ字状片部８，９の内側には浴室側に開口する被係止溝１３ａ，１４ａが形成され、両被係止溝１３ａ，１４ａの開口方向は直交している。各被係止溝１３ａ，１４ａは対応する壁パネル１，２の縁片６ａ，７ａが係止される被係止部１３，１４を構成する。
【００２４】
すなわち、一方の被係止溝１３ａには一方の壁パネル１の縁片６ａが挿入係止され、他方の被係止溝１４ａには他方の壁パネル１ｂの縁片７ａが挿入係止される。以下、各コ字状片部８，９や各被係止溝１３ａ，１４ａの説明では、係止される縁片６ａ，７ａを有する対応する壁パネル１，２の浴室側を前方と定義すると共に室外側を後方と定義して説明する。
【００２５】
前方に開口する各被係止溝１３ａ，１４ａの溝幅は対応する縁片６ａ，７ａの厚みよりもやや大きく形成され、各被係止溝１３ａ，１４ａには遊嵌状態で縁片６ａ，７ａを挿入できるようになっている。
【００２６】
各コ字状片部８，９の外側に位置する側片部１１ａ，１１ａの前端は他方のコ字状片部８，９の被係止溝１３ａ，１４ａよりも後方に位置している。このため、いずれの縁片６ａ，７ａも他方の縁片６ａ，７ａを被係止溝１３ａ，１４ａに係止した状態で被係止溝１３ａ，１４ａから引き抜くことができるようになっている。
【００２７】
接続片部１０ａはその両側端部が各コ字状片部８，９の内側の側片部１１ｂ，１１ｂの前端部に接続され開口部１２に臨んでいる。接続片部１０ａは目地材４が連結される被連結部１０を構成する。
【００２８】
接続片部１０ａには浴室側となる開口部１２側に向かって開口するガイド溝１５が上下に亘って形成されている。ガイド溝１５の両内側面は浴室側に行くに従って徐々にガイド溝１５の溝幅が広がるように傾斜したガイド面１６となっている。
【００２９】
接続片部１０ａの上下方向の複数箇所（図示例では２箇所）には、接続片部１０ａを室内外方向と平行となる厚み方向に貫通した被嵌込孔１７が形成されている。各被嵌込孔１７は縦長のスリットからなり、ガイド溝１５の底部に形成されている。
【００３０】
目地材４は、縦長のシール部１９と、シール部１９の被嵌込孔１７に対応する上下２箇所から室外側に向けて一体に突出する連結部２０で構成されている。シール部１９の上下長さはジョイナー３の上下長さと略同じであり、連結部２０の上下長さは被嵌込孔１７の上下長さと略同じである。
【００３１】
シール部１９は直角に並べて配置される壁パネル１，２の間に挿入され、両壁パネル１，２の間を止水する。
【００３２】
シール部１９は、縦長板状の芯部２１と、芯部２１の室内外方向に離れた２箇所から両外側方に向けて一体に突出したひれ部２２で構成されている。ひれ部２２のうち、芯部２１の浴室側の端部から突出したひれ部２２ａは室外側から突出したひれ部２２ｂよりも大きく突出している。
【００３３】
連結部２０は、芯部２１から室外側に向けて突出した縦長板状の嵌込片部２３と、嵌込片部２３の室内外方向における複数箇所から両外側方に向けて突出したひれ片部２４ａで構成されている。各ひれ片部２４ａは嵌込片部２３の上下全長に亘って形成されている。これらひれ片部２４ａは接続片部１０ａの室外側に配置されて連結部２０の抜け止めを図る抜止部２４を構成する。
【００３４】
以下、上記ジョイナー３及び目地材４を用いた両壁パネル１，２の接続方法の一例につき説明する。
【００３５】
なお、以下の説明では、壁パネル１，２と略同じ上下長さを有する一個のジョイナー３及び一個の目地材４にて両壁パネル１，２を接続する例につき説明するが、両壁パネル１，２は、縦に並べられた複数個のジョイナー３及び複数個の目地材４により接続されるものであってもよい。また、両壁パネル１，２は、一個のジョイナー３と複数個の目地材或いは複数個のジョイナー３と一個の目地材４により接続されるものあってもよい。また、図２では被嵌込孔１７やこれに挿通される連結部２０を上下に複数設けてあるが、ジョイナー３や目地材４の上下長さが短い場合には、被嵌込孔１７や連結部２０は１個だけ設けてあってもよい。
【００３６】
両壁パネル１，２を接続するには、まず、ジョイナー３の一方の被係止溝１３ａに対応する壁パネル１の縁片６ａを開口部１２を介して挿入して仮係止する。このとき、壁パネル１は浴室床上に立設されていてもよいし、ジョイナー３を仮係止した後に浴室床上に立設されてもよい。
【００３７】
次いで、他方の壁パネル１ｂを浴室床上に立設すると共に、壁パネル１ｂの縁片７ａを対応する被係止溝１４ａに開口部１２を介して挿入して仮係止し、この後、両壁パネル１，２の側縁部の間に浴室側から目地材４を打ち込み、シール部１９を両壁パネル１，２の表面板５の側縁部の間に挿入すると共に、各連結部２０を対応する被嵌込孔１７に挿通して接続片部１０ａに連結する。ここで、各連結部２０を対応する被嵌込孔１７に挿通するときには、ガイド溝１５のガイド面１６でガイドして被嵌込孔１７にスムーズに挿入できるようになっている。
【００３８】
上記により各連結部２０が対応する被嵌込孔１７に挿通されると、各連結部２０は嵌込片部２３の浴室側部分が被嵌込孔１７に嵌め込まれ、上下方向及び接続片部１０ａの幅方向の移動が規制される。また、各連結部２０の嵌込片部２３の室外側部分は接続片部１０ａよりも室外側に突出し、該突出部分２５の両側に形成されたひれ片部２４ａが接続片部１０ａの室外側の背面に弾接して係止される。これにより各連結部２０は浴室側への抜け止めがなされる。
【００３９】
各連結部２０の各ひれ片部２４ａを含めた突出部分２５は、接続片部１０ａと各コ字状片部８，９の内側の側片部１１ｂ，１１ｂで構成された室外側に開口する凹所２６内に配置される。
【００４０】
突出部分２５は、図１に示すように一方のコ字状片部８の後端を通る壁パネル１の幅方向と平行な仮想線ａと、他方のコ字状片部９の後端を通る壁パネル１ｂの幅方向と平行な仮想線ｂとが交わる交点ｃの浴室側に位置している。このように、目地材４を両コ字状片部８，９の後端よりも前方に配置することで、例えば図１のようにジョイナー３の室外側に近接して建物躯体２７が配置される場合にも、目地材４の突出部分２５が建物躯体２７に干渉せず、本例の接続構造を適用することができる。
【００４１】
また、両壁パネル１，２の側縁部の間に目地材４が挿入されることで、シール部１９により、両壁パネル１，２の縁片６ａ，７ａが対応する側片部１１ａ，１１ａに押し付けられると共に、各表面板５の前面部の側縁部が背方の側片部１１ａ，１１ａの端面に押し付けられた状態で、各縁片６ａ，７ａが側片部１１ａ，１１ａに本係止される。
【００４２】
より具体的には、目地材４の両側のひれ部２２ｂ，２２ｂが対応する縁片６ａ，７ａの外側面に弾接して縁片６ａ，７ａを対応する側片部１１ａ，１１ａに押し付ける。また、目地材４の両側のひれ部２２ａ，２２ａが対応する表面板５の前面部の側縁部に弾接して同部を背方の側片部１１ａ，１１ａの端面に押し付け、これにより両側のひれ部２２ａ，２２ａと対応する側片部１１ａ，１１ａで各表面板５の前面部の側縁部が挟持される。
【００４３】
上記により目地材４の各ひれ部２２ａにて両壁パネル１，２の側縁部の間の止水がなされる。また、各ひれ部２２ｂ，２２ｂにより縁片６ａ，７ａのコーナー側への移動が規制されると共にシール部１９が浴室側に抜け出ることが防止される。
【００４４】
なお、ジョイナー３は建物躯体２７や床パンに固定されるものであってもよいし、固定されないものであってもよい。
【００４５】
以上説明した本例の浴室壁パネルの接続構造にあっては、目地材４の連結部２０がジョイナー３の被連結部１０に連結されるため、壁パネル１，２に外力が加わる等した場合に目地材４が動き難い。そして、このようにジョイナー３に連結固定された目地材４とジョイナー３で壁パネル１，２の側縁部を挟持することができるので、各壁パネル１，２の縁片６ａ，７ａの係止が外れることを確実に防止することができる。また、目地材４が動いて止水性が低下することも防止できる。
【００４６】
また、各被係止部１３，１４は浴室側から挿入可能な前方に開口する被係止溝１３ａ，１４ａで構成され、いずれの被係止部１３，１４も目地材４を取り外すことで他方の被係止部１３，１４の係止を解除することなく単独で係止部６，７に対する係止を解除することができる。このため、両壁パネル１，２のうち一方のみが傷付いて交換等するにあたって、他方を取り外すことなく一方のみを単独でジョイナー３から取り外したり、ジョイナー３に取り付けたりすることが可能となる。
【００４７】
また、壁パネル１，２の施工方法には、浴室の外側から施工を行ういわゆる外組方式と、浴室の内側から施工を行ういわゆる内組方式とがある。このうち、建物躯体２７により仕切られた限られた空間に浴室ユニットを設置する場合等には、施工において内組方式が有利である。そして、本例では、各被係止部１３，１４がいずれも浴室側から挿入可能な前方に開口する被係止溝１３ａ，１４ａで構成されているため、施工において有利な内組方式を採用することができる。
【００４８】
また、目地材４の各ひれ部２２ａ，２２ａにて各壁パネル１，２の側縁部を室外側に押圧することで、係止部６，７が被係止溝１３ａ，１４ａから抜け出ることを確実に防止して、各係止部６，７と被係止部１３，１４の係止が外れることをより確実に防止することができる。
【符号の説明】
【００４９】
１，２  壁パネル
３  ジョイナー
４  目地材
８，９  コ字状片部
１０  被連結部
１０ａ  接続片部
１３，１４  被係止部
１３ａ，１４ａ  被係止溝
１７  被嵌込孔
２０  連結部
【図１】
2010174454.tif 000003
【図２】
2010174454.tif 000004
【図３】
2010174454.tif 000005
【図４】
2010174454.tif 000006